(57)【特許請求の範囲】
【請求項１】
ゴルフ練習者が搭乗する打席板と、
前記打席板の下側に接続されると共に部分球面状の滑動面を有する部分球体、および前記滑動面に沿って滑動自在に前記部分球体を支持する支持部材から構成され、前記打席板を傾動自在に支持する支持装置と、
前記支持装置の周囲において前記打席板を昇降させることにより、前記滑動面の中心を中心として前記打席板を傾動させる昇降装置と、を備え、
前記部分球体は、前記滑動面の中心が、水平状態の前記打席板の上方に位置するように構成され、
前記打席板および前記部分球体には、下方に向けて漸次内径が拡大するテーパ状の孔部が、前記打席板および前記部分球体を連通するように形成され、
ゴルフボールをティーアップ位置に支持するティー部材が、前記孔部内に配置されることを特徴とする、
ゴルフ練習台。
【請求項２】
前記部分球体は、前記滑動面の中心が、前記ティーアップ位置にあるゴルフボールの中心と略一致するように構成されることを特徴とする、
請求項１に記載のゴルフ練習台。
【請求項３】
前記孔部を通じて前記ティーアップ位置にゴルフボールを供給するティーアップ装置をさらに備えることを特徴とする、
請求項１または２に記載のゴルフ練習台。
【請求項４】
前記支持部材は、前記滑動面を少なくとも３点で支持することを特徴とする、
請求項１乃至３のいずれかに記載のゴルフ練習台。
【発明の詳細な説明】
【技術分野】
【０００１】
本発明は、ゴルフのショットを練習するためのゴルフ練習台に関し、特に様々な地形状態を考慮した練習が可能なゴルフ練習台に関する。
【背景技術】
【０００２】
従来、ゴルフの練習では、いわゆる打ちっ放し等のゴルフ練習場に設けられた平坦な打席に立ってショットの練習をするのが一般的である。しかしながら、実際のゴルフコースは起伏に富んだ形状に構成されており、コースに出た場合には傾斜したライからショットを行わなければならない場合が大半である。
【０００３】
ライが傾斜している場合、例えば左足上がりや両つま先上がりの場合には、体の後ろ側に体重が残るため、ショットがフックしやすく、逆に左足下がりや両つま先下がりの場合にはスライスしやすいという傾向がある。このため、正確なショットを打つためには、傾斜したライを想定した練習を十分に行うことが重要であり、このような練習を行うことが可能なゴルフ練習台等も提案されている（例えば、特許文献１または２参照）。
【先行技術文献】
【特許文献】
【０００４】
【特許文献１】特開２００５−２７８７３１号公報
【特許文献２】特開平１１−２７６６５５号公報
【発明の概要】
【発明が解決しようとする課題】
【０００５】
しかしながら、上記特許文献１に記載のゴルフ練習台では、打席となる台盤中央部の下側に球体を滑動自在に配置することにより、任意の傾斜面を作り出すように構成されているが、傾斜角度の設定を手動で行う必要があり、操作に手間がかかるという問題があった。また、ボールを支持するティーも台盤と共に傾いてしまうため、傾斜角度を変更するたびにティーを調整しなければならず、非常に使い勝手が悪いものとなっていた。
【０００６】
一方、上記特許文献２に記載のゴルフ練習台では、ティーアップ位置近傍に配置したジンバル方式の枢軸機構と、２つのジャッキで台盤を支持することにより、任意の傾斜面を作り出すと共に、ティーを枢軸機構の中心部に固定配置するように構成されている。このような構成とすることで、ティーを動かさずに台盤のみを傾斜させることができるため、ボールを安定して支持することが可能になる。
【０００７】
しかしながら、上記特許文献２に記載のゴルフ練習台では、ジンバル方式の台盤を採用することにより、台盤の傾動中心が台盤の下側に位置しているため、台盤を傾斜させた場合にボールおよびティーに対する台盤の相対的な位置が大きく変化してしまうという問題があった。このため、利用者は、傾斜角度を変更するたびに変化するスタンスの位置や、台盤からのボールの高さを考慮しなければならず、自身の姿勢や立ち位置を細かくチェックすることが難しかった。また、ティーを配置するために台盤に設ける孔部を、大きく形成しなければならないという問題があった。
【０００８】
本発明は、斯かる実情に鑑み、任意の傾斜面における練習を効果的に行うことが可能なゴルフ練習台を提供しようとするものである。
【課題を解決するための手段】
【０００９】
（１）本発明は、ゴルフ練習者が搭乗する打席板と、前記打席板の下側に接続されると共に部分球面状の滑動面を有する部分球体、および前記滑動面に沿って滑動自在に前記部分球体を支持する支持部材から構成され、前記打席板を傾動自在に支持する支持装置と、前記支持装置の周囲において前記打席板を昇降させることにより、前記滑動面の中心を中心として前記打席板を傾動させる昇降装置と、を備え、前記部分球体は、前記滑動面の中心が、水平状態の前記打席板の上方に位置するように構成され、前記打席板および前記部分球体には、下方に向けて漸次内径が拡大するテーパ状の孔部が、前記打席板および前記部分球体を連通するように形成され、ゴルフボールをティーアップ位置に支持するティー部材が、前記孔部内に配置されることを特徴とする、ゴルフ練習台である。
【００１１】
（２）本発明はまた、前記部分球体は、前記滑動面の中心が、前記ティーアップ位置にあるゴルフボールの中心と略一致するように構成されることを特徴とする、上記（１）に記載のゴルフ練習台である。
【００１３】
（３）本発明はまた、前記孔部を通じて前記ティーアップ位置にゴルフボールを供給するティーアップ装置をさらに備えることを特徴とする、上記（１）または（２）に記載のゴルフ練習台である。
【００１４】
（４）本発明はまた、前記支持部材は、前記滑動面を少なくとも３点で支持することを特徴とする、上記（１）乃至（３）のいずれかに記載のゴルフ練習台である。
【発明の効果】
【００１５】
本発明に係るゴルフ練習台によれば、任意の傾斜面における練習を効果的に行うことが可能という優れた効果を奏し得る。
【図面の簡単な説明】
【００１６】
【図１】本発明の実施形態に係るゴルフ練習台を示した概略正面図である。
【図２】（ａ）ゴルフ練習台の概略平面図である。（ｂ）図２（ａ）のＡ−Ａ線断面図である。
【図３】（ａ）および（ｂ）打席板を傾斜させた状態を示した図である。
【図４】（ａ）および（ｂ）打席板を傾斜させた状態を示した図である。
【図５】ゴルフ練習台の使用状態を示した概略正面図である。
【図６】（ａ）ティーアップ装置によるボールの供給を示した断面図である。（ｂ）ティー部材を固定して上方からボールを供給するようにした例を示した断面図である。
【図７】支持装置において部分球体を点で支持するようにした例を示した断面図である。
【発明を実施するための形態】
【００１７】
以下、図面を参照して本発明の実施の形態の例について詳細に説明する。
【００１８】
図１は、本実施形態に係るゴルフ練習台１を示した概略正面図である。同図に示されるように、本実施形態のゴルフ練習台１は、ゴルフの練習を行う利用者が上部に搭乗してショットの練習を行うためのものであり、利用者が搭乗する打席板１０と、打席板１０を傾動自在に支持する支持装置２０と、打席板１０を支持装置２０の周囲において昇降させることにより傾動させる昇降装置３０と、ゴルフボール（以下、単にボールと呼ぶ）１００をティーアップ位置（ショットされる位置）Ｔに供給して支持するティーアップ装置４０と、ティーアップ装置４０にボール１００を供給するボール供給装置５０と、支持装置２０および昇降装置３０を支持する基台６０と、を備えて構成されている。
【００１９】
図２（ａ）は、ゴルフ練習台１の概略平面図であり、同図（ｂ）は、同図（ａ）のＡ−Ａ線断面図である。打席板１０は、矩形状の平板であり、既知の構造により、利用者の体重以上の荷重を安定して支持可能、且つ軽量に構成されている。打席板１０の左端近傍には、ボール１００を打席板１０の下からティーアップ位置Ｔに供給するための第１孔部１２が形成されている。この第１孔部１２は、打席板１０の上面１０ａと下面１０ｂの間で貫通する貫通孔であり、下面１０ｂ側が拡大したテーパ状に形成されている。また、打席板１０の上面１０ａには、人工芝やゴムマット等が必要に応じて敷設される。
【００２０】
支持装置２０は、打席板１０の下面１０ｂに接続される部分球体２２と、部分球体２２を下方から支持する支持部材と、から構成されている。部分球体２２は、球体の一部を切断した形状に構成されており、部分球面（凸面）状の滑動面２２ａを備えている。そして、部分球体２２は、滑動面２２ａを下にした状態で打席板１０の下面１０ｂに、ボルトや係合等の既知の手法により接続されている。
【００２１】
支持部材２４は、上部に滑動面２２ａの相補的形状である部分球面（凹面）状の支持面２４ａを備える略円柱状の部材であり、ボルト等の適宜の手法によって基台６０に固定されている。この支持部材２４は、支持面２４ａによって部分球体２２の滑動面２２ａを滑動自在に支持するように構成されている。従って、部分球体２２は、滑動面２２ａに沿って自在に回動（傾動）可能、すなわち滑動面２２ａの中心Ｃを回動中心として自在に回動可能となっており、これにより、打席板１０は、滑動面２２ａの中心Ｃを傾動中心として自在に傾動可能となっている。
【００２２】
なお、支持部材２４の支持面２４ａは、部分球体２２の滑動面２２ａを全周にわたって支持するものであってもよいし、周方向に複数に分割され、滑動面２２ａを部分的に支持するものであってもよい。また、滑動面２２ａと支持面２４ａの間には適宜の潤滑が施されている。
【００２３】
滑動面２２ａの中心Ｃは、水平方向の位置がティーアップ位置Ｔにあるボール１００の中心の水平方向の位置と略一致するように設定されている。また、中心Ｃの垂直方向の位置（高さ）は、特に限定されるものではないが、打席板１０を傾動させた場合の打席板１０に対するボール１００の相対的な位置の変化を小さくするためには、ティーアップ位置Ｔにあるボール１００の中心に可能限り近づけることが好ましい。具体的には、中心Ｃは、水平状態の打席板１０の下面１０ｂよりも上方に位置していることが好ましく、水平状態の打席板１０の上面１０ａよりも上方に位置していればより好ましい。
【００２４】
本実施形態では、支持部材２０を、下向き凸状の部分球体２２と、これを支持する支持部材２４から構成しているため、打席板１０の傾動中心となる中心Ｃをティーアップ位置Ｔにあるボール１００の中心に近い高さに設定することが容易となっている。従って、本実施形態では、中心Ｃの高さがティーアップ位置Ｔにあるボール１００の中心の高さと略一致するようにしている。中心Ｃの高さをこのように設定することで、打席板１０を傾動させた場合にも打席板１０に対するボール１００の相対的な位置が変化しないようにすることができる。
【００２５】
部分球体２２には、上下方向に貫通する第２孔部２２ｂが形成されている。この第２孔部２２ｂは、打席板１０に形成された孔部１２と連通すると共に連続するテーパ状に形成されている。従って、第１孔部１２および第２孔部２２ｂは、１つのテーパ状の孔部を構成しており、ボール１００はこの孔部を通してティーアップ位置Ｔに供給されるようになっている。
【００２６】
また、支持部材２４の内部には、ティーアップ装置４０を収容するための収容孔部２４ｂが形成されている。支持部材２４の内部にはまた、収容孔部２４ｂから支持面２４ａまで貫通する連絡孔部２４ｃが形成されている。この連絡孔部２４ｃは、第１孔部１２および第２孔部２２ｂと連通している。さらに、支持部材２４の内部には、ボール供給装置５０と連絡孔部２４ｃを繋ぐ供給孔部２４ｄが形成されている。
【００２７】
昇降装置３０は、支持装置２０の周囲に配置されており、ロッド３２を伸縮移動させることによって打席板１０を部分的に昇降させ、中心Ｃを傾動中心として打席板１０を傾動させるものである。また、昇降装置３０は、支持装置２０と共に打席板１０を支持する部材としても機能している。
【００２８】
本実施形態では、２つの昇降装置３０を打席板１０の右後方角部近傍および右前方角部近傍にそれぞれ配置している。従って、本実施形態では、打席板１０は支持装置２０および２つの昇降装置３０によって３点支持されており、このうちの２点の高さを２つの昇降装置３０で変更することにより、打席板１０を任意の方向および角度に傾斜させるようになっている。
【００２９】
昇降装置３０は、ボルト等の適宜の手法によって基台６０に固定されている。そして、ロッド３２の曲面状に丸められた先端部、およびロッド３２の先端部が当接する受け座３４を介して打席板１０に接続されている。なお、昇降装置３０としては、電動シリンダや油圧シリンダ、エアシリンダ等、既存の各種直動アクチュエータやジャッキ等を採用することができる。また、昇降装置３０と打席板１０および基台６０との接続は、例えばボールジョイント等、その他の既存の接続方法を採用するようにしてもよい。
【００３０】
ティーアップ装置４０は、ボール供給装置５０から供給されたボール１００をティーアップ位置Ｔに供給すると共に、ティーアップ位置Ｔにボール１００を支持するものである。ティーアップ装置４０は、上下方向に伸縮移動可能なティー部材４２を備えており、このティー部材４２の先端（上端）にボール１００を載置して支持するように構成されている。
【００３１】
ティーアップ装置４０は、支持部材２４の収容孔部２４ｂ内に配置され、連絡孔部２４ｃ、第２孔部２２ｂおよび第１孔部１２内を通じてティー部材４２を伸ばすことにより、ボール１００をティーアップ位置Ｔに供給する。そして、ティー部材４２は、連絡孔部２４ｃ、第２孔部２２ｂおよび第１孔部１２内において伸ばされた状態で、ボール１００をティーアップ位置Ｔに支持する。
【００３２】
ボール供給装置５０は、複数のボール１００を保持すると共に、ボール１００を１つずつティーアップ装置４０に供給するものである。本実施形態では、ボール供給装置５０を支持装置２０の支持部材２４に固定し、供給孔部２４ｄを介してティーアップ装置４０にボール１００を供給するように構成している。なお、ティーアップ装置４０およびボール供給装置５０は、既存のものをそのまま使用することができる。
【００３３】
基台６０は、支持装置２０および昇降措置３０を支持するものであり、アンカーボルト等によって床面に固定可能に構成されている。なお、図示は省略するが、本実施形態のゴルフ練習装置１は、上述の構成に加えて、昇降装置３０、ティーアップ装置４０およびボール供給装置５０を制御する制御装置と、昇降装置３０、ティーアップ装置４０およびボール供給装置５０を操作するための操作盤を備えている。制御装置および操作盤は、適宜の位置に配置される。
【００３４】
図３（ａ）および（ｂ）、ならびに図４（ａ）および（ｂ）は、打席板１０を傾斜させた状態を示した図である。なお、図３（ａ）および（ｂ）は、図２（ａ）のＡ−Ａ線断面図であり、図４（ａ）および（ｂ）は、図３（ａ）のＢ−Ｂ線断面図である。
【００３５】
図３（ａ）は、２つの昇降装置３０のロッド３２を伸ばすことにより、打席板１０を両足つま先下がりの状態に傾斜させた場合を示している。また、図３（ｂ）は、２つの昇降装置３０のロッド３２を縮めることにより、打席板１０を両足つま先上がりの状態に傾斜させた場合を示している。
【００３６】
このように、昇降装置３０のロッド３２を伸縮移動させると、これに伴って部分球体２２の滑動面２２ａが支持面２４ａに沿って滑動する。これにより、打席板１０は中心Ｃを傾動中心として傾動し、昇降装置３０のロッド３２の伸縮量に応じた所定の角度で傾斜した状態となる。
【００３７】
上述のように、本実施形態では、滑動面２２ａの中心Ｃの位置がティーアップ位置Ｔにあるボール１００の中心の位置と略一致するようにしている。従って、打席板１０の上面１０ａからボール１００の中心までの垂線方向の距離Ｈは、傾斜角度によらず略一定に保たれるようになっている。また、例えば利用者のつま先からボール１００の中心までの上面１０ａに平行な方向の距離Ｄ１も、傾斜角度によらず略一定に保たれるようになっている。
【００３８】
なお、本実施形態では、第１孔部１２および第２孔部２２ｂを、下側を拡大したテーパ状に構成しているため、打席板１０を傾斜させた場合においてもティー部材４２と打席板１０または部分球体２２が接触しないようになっている。
【００３９】
図４（ａ）は、前方の昇降装置３０のロッド３２を伸ばすと共に後方の昇降装置３０のロッドを縮めることにより、打席板１０を右足下がりの状態に傾斜させた場合を示している。また、図４（ｂ）は、前方の昇降装置３０のロッド３２を縮めると共に後方の昇降装置３０のロッドを伸ばすことにより、打席板１０を左足下がりの状態に傾斜させた場合を示している。
【００４０】
このように、一方の昇降装置３０のロッド３２を伸ばし、他方の昇降装置３０のロッド３２を縮めた場合にも、これに伴って部分球体２２の滑動面２２ａが支持面２４ａに沿って滑動する。これにより、打席板１０は中心Ｃを傾動中心として傾動し、昇降装置３０のロッド３２の伸縮量に応じた所定の角度で傾斜した状態となる。
【００４１】
そして、この場合にも、打席板１０の上面１０ａからボール１００の中心までの垂線方向の距離Ｈは、傾斜角度によらず略一定に保たれ、また、例えば打席板１０の後端からボール１００の中心までの上面１０ａに平行な方向の距離Ｄ２も、傾斜角度によらず略一定に保たれるようになっている。
【００４２】
図５は、ゴルフ練習台１の使用状態を示した概略正面図である。同図に示されるように、本実施形態のゴルフ練習台１では、２つの昇降装置３０のロッド３２の高さを適宜に設定することにより、任意の方向および角度に打席板１０を傾斜させることが可能となっている。
【００４３】
具体的には、水平状態以外に、両足つま先上がり、両足つま先下がり、右足下がり、左足下がり、右足下がり・つま先上がり、右足下がり・つま先下がり、左足下がり・つま先上がり、および左足下がり・つま先下がりの全てのライを、任意の傾斜角度で再現することが可能となっている。従って、利用者は、ゴルフコースにおいて遭遇する様々な局面を想定した練習を行うことができる。なお、同図では、打席板１０を左足下がり・つま先上がりの状態に傾斜させた状態を示している。
【００４４】
さらに、本実施形態では、打席板１０を傾斜させた場合にも、ボール１００と打席板１０の相対的な位置関係が略変化しないため、利用者は、様々な傾斜状態において、自らのアドレス時の姿勢、スタンスの位置、およびスイングの状態などを細かくチェックすることが可能となっている。すなわち、本実施形態のゴルフ練習台１によれば、従来にない効果的な練習を行うことができるため、上達速度を高めることが可能となっている。
【００４５】
図６（ａ）は、図２（ａ）のＡ−Ａ線断面図であり、ティーアップ装置４０によるボール１００の供給を示した図である。図６（ａ）に示されるように、ティーアップ装置４０は、ティー部材４２を縮めた状態で待機し、ボール供給装置５０は、この待機状態のティー部材４２の先端に向け、供給孔部２４ｄを介してボール１００を供給する。そして、ボール１００の供給を受け、ティー部材４２上にボール１００が載置された後に、ティーアップ装置４０は、ティー部材４２を伸ばす。これにより、ボール１００は、連絡孔部２４ｃ、第２孔部２２ｂおよび第１孔部１２を通じて上昇し、ティーアップ位置Ｔに供給される。なお、第１孔部１２および第２孔部２２ｂは、下側を拡大したテーパ状に構成されているため、ティーアップ装置４０は、打席板１０の傾斜角度によらず、ティーアップ位置Ｔにボール１００を供給可能となっている。
【００４６】
このように、本実施形態では、ティーアップ装置４０およびボール供給装置５０によって、自動的にティーアップ位置Ｔにボール１００が供給されるため、利用者は、ボール１００のティーアップに煩わされることなく練習を行うことが可能となっている。なお、ティーアップ装置４０およびボール供給装置５０は、ボール１００がショットされたことを検知して、自動的に次のボール１００をティーアップするものであってもよいし、利用者の操作によってボール１００をティーアップするものであってもよい。
【００４７】
図６（ｂ）は、ティー部材４２を固定して上方からボール１００を供給するようにした例を示した断面図である。この例では、ティー部材４２は、第１孔部１２および第２孔部２２ｂ内において、支持部材２４の支持面２４ａから立設されている。そして、ボール供給装置５０は、打席板１０の上面１０ａに配置され、打席板１０の上方からティー部材４２の先端に向けてボール１００を供給するように構成されている。
【００４８】
このように、ティー部材４２を固定部材とし、打席板１０の上方からティー部材４２先端のティーアップ位置Ｔにボール１００を供給するようにしてもよい。なお、この場合においても、ボール供給装置５０は、既存のものを使用することができる。また、第１孔部１２および第２孔部２２ｂをテーパ状に構成することにより、打席板１０を傾斜させた場合にもティー部材４２と打席板１０が接触しないようにすることができる。
【００４９】
図７は、支持装置２０において部分球体２２を点で支持するようにした例を示した断面図である。この例では、支持部材２４は、支持面２４ａの周方向において均等に配置された３つの突起部２６を備えており、これらの突起部２６を滑動面２２ａに当接させることによって部分球体２２を支持している。
【００５０】
このように、支持部材２４は、部分球体２２を面で支持するのではなく、複数の点で支持するものであってもよい。このように部分球体２２を複数の点で支持した場合においても、部分球体２２は滑動面２２ａに沿って滑動するため、部分球体２２および打席板１０は、滑動面２２ａの中心Ｃを傾動中心として傾動することとなる。そして、複数の点で支持することにより、面で支持する場合よりも高精度に滑動面２２ａの滑動を支持することができる場合がある。
【００５１】
なお、突起部２６は、支持面２４ａに固定されたものであってもよいし、滑動面２２ａの移動に伴って回転するボールやローラ等から構成されるものであってもよい。また、突起部２６の個数は、滑動面２２ａに対して均等に当接させるためには３つであることが好ましいが、これに限定されるものではなく、３つ以上の突起部２６を設けるようにしてもよい。
【００５２】
以上説明したように、本実施形態に係るゴルフ練習台１は、ゴルフ練習者（利用者）が搭乗する打席板１０と、打席板１０の下側に接続されると共に部分球面状の滑動面２２ａを有する部分球体２２、および滑動面２２ａに沿って滑動自在に部分球体２２を支持する支持部材２４から構成され、打席板１０を傾動自在に支持する支持装置２０と、支持装置２０の周囲において打席板１０を昇降させることにより、滑動面２２ａの中心Ｃを中心として打席板１０を傾動させる昇降装置３０と、を備え、打席板１０および部分球体２２には、連通する孔部（第１孔部１２および第２孔部２２ｂ）が形成され、ゴルフボール１００をティーアップ位置Ｔに支持するティー部材４２が、孔部（第１孔部１２および第２孔部２２ｂ）内に配置されている。
【００５３】
このような構成とすることで、ゴルフコースにおいて遭遇する様々なライを想定したショットの練習を効果的に行うことができる。特に、支持部材２０を部分球体２２および支持部材２４から構成することで、打席板１０の傾動中心をティーアップ位置Ｔのボール１００の位置に近づけ、打席板１０を傾斜させた場合の打席板１０に対するボール１００の相対的な位置の変化を最小限にすることが可能となるため、ショットの練習をより効果的に行うことができる。また、第１孔部１２の上端の内径をボール１００が通過可能な最小限の大きさにすることができるため、より実戦に近い感触でショットの練習を行うことができる。
【００５４】
また、部分球体２２は、滑動面２２ａの中心が、水平状態の打席板１０の上方に位置するように構成されている。このようにすることで、打席板１０を傾斜させた場合の打席板１０に対するボール１００の相対的な位置の変化をより小さくすることが可能となるため、ショットの練習をより効果的に行うことができる。
【００５５】
また、部分球体２２は、滑動面２２ａの中心が、ティーアップ位置Ｔにあるゴルフボール１００の中心と略一致するように構成されている。このようにすることで、打席板１０を傾斜させた場合の打席板１０に対するボール１００の相対的な位置の変化を略解消することができるため、ショットの練習をより効果的に行うことができる。
【００５６】
また、孔部（第１孔部１２および第２孔部２２ｂ）は、下方に向けて漸次内径が拡大するテーパ状に形成されている。このようにすることで、ティー部材４２に影響されることなく打席板１０を傾斜させることができる。また、打席板１０を傾斜させた状態でも、下方からティーアップ位置Ｔにボール１００を供給することができる。
【００５７】
また、ゴルフ練習台１は、孔部（第１孔部１２および第２孔部２２ｂ）を通じてティーアップ位置Ｔにゴルフボール１００を供給するティーアップ装置４０をさらに備えている。このようにすることで、利用者はボール１００のティーアップに煩わされることがなくなるため、より集中してショットの練習を行うことができる。
【００５８】
また、支持部材２４は、滑動面２２ａを少なくとも３点で支持するようにしてもよい。このようにすることで、面で支持する場合よりも高精度に滑動面２２ａの滑動を支持することができる場合がある。また、回転するローラやボール等によって滑動面２２ａを支持することにより、摩擦抵抗を低減することができる場合がある。
【００５９】
なお、本実施形態では、打席板１０の形状を平面視が矩形状となるように構成したが、本発明はこれに限定されるものではなく、打席板１０の形状は、例えば平面視が円形状となる形状等、その他の形状であってもよい。
【００６０】
また、本実施形態では、支持装置２０の周囲に２つの昇降装置３０を配置した例を示したが、支持装置２０の周囲に３つ以上の昇降装置を配置するようにしてもよい。さらに、支持装置２０を打席板１０の略中央に配置し、ティーアップ位置Ｔが打席板１０の略中央に設定されるようにしてもよい。
【００６１】
以上、本発明の実施の形態について説明したが、本発明のゴルフ練習台は、上記した実施の形態に限定されるものではなく、本発明の要旨を逸脱しない範囲内において種々変更を加え得ることは勿論である。
【産業上の利用可能性】
【００６２】
本発明のゴルフ練習台は、ゴルフ練習場に設置されるゴルフ練習用設備の分野だけでなく、ゴルフバーやアミューズメント施設等に設置されるゴルフシミュレーターの分野においても利用することができる。
【符号の説明】
【００６３】
１  ゴルフ練習台
１０  打席板
１２  第１孔部
２０  支持装置
２２  部分球体
２２ａ  滑動面
２２ｂ  第２孔部
２４  支持部材
３０  昇降装置
４０  ティーアップ装置
４２  ティー部材
１００  ゴルフボール
Ｃ  滑動面の中心
Ｔ  ティーアップ位置
【図１】
0005413984.tif 000002
【図２】
0005413984.tif 000003
【図３】
0005413984.tif 000004
【図４】
0005413984.tif 000005
【図５】
0005413984.tif 000006
【図６】
0005413984.tif 000007
【図７】
0005413984.tif 000008